(57)【要約】【課題】冗長分の交流入力容量を必要とすることなく冗長分を含めたすべての電源を常時動作させることのできる冗長方式電源装置および電源用入力制限回路を提供する。【解決手段】交流入力制限電流検出器１５は、（Ｎ＋１）台の整流器１１〜１３に入力される交流入力電流の総和を検出し、整流器出力電流制限指令器１６は交流入力制限電流検出器１５の検出した交流入力電流の値が所定の上限値を超えたとき、定格出力のＮ／（Ｎ＋１）に各整流器１１〜１３の出力電流を制限し、交流入力制限電流検出器１５の検出した交流入力電流の値が所定の下限値を下回ったとき、制限を解除する。たとえば、定格出力時に１台の整流器に必要な交流入力電流電力をＡとすると、上限値はＡ×Ｎ＋αに、下限値はＡ×Ｎ×Ｎ／（Ｎ＋１）＋βにする。【選択図】図１
2005287177.tif 000002
【特許請求の範囲】
【請求項１】
（Ｎ＋Ｍ）台の電源（Ｎ、Ｍは１以上の整数）を並列接続した電源部と、
前記電源部への交流入力容量を検出する検出手段と、
前記検出手段の検出する交流入力容量がＮ台の電源が定格出力した場合に必要な前記電源部への交流入力容量になるように前記各電源の出力容量を制限する出力制限手段と
を有する
ことを特徴とする冗長方式電源装置。
【請求項２】
（Ｎ＋１）台の電源（Ｎは１以上の整数）を並列接続した電源部と、
前記電源部への交流入力容量を検出する検出手段と、
前記検出手段の検出した交流入力容量が所定の上限値を超えたとき、前記各電源の出力容量を定格出力のＮ／（Ｎ＋１）に制限し、前記検出手段の検出した交流入力容量が所定の下限値を下回ったとき、前記制限を解除する出力制限手段と
を有する
ことを特徴とする冗長方式電源装置。
【請求項３】
（Ｎ＋１）台の整流器（Ｎは１以上の整数）を並列接続した整流部と、
この整流部の直流出力に接続されかつ後段に負荷が接続される蓄電池と、
前記整流部への交流入力電流を検出する交流入力制限電流検出手段と、
前記交流入力制限電流検出手段の検出した交流入力電流が所定の上限値を超えたとき、前記各整流器の出力電流を定格出力のＮ／（Ｎ＋１）に制限し、前記交流入力制限電流検出手段の検出した交流入力電流が所定の下限値を下回ったとき、前記制限を解除する出力制限手段と
を有する
ことを特徴とする冗長方式電源装置。
【請求項４】
前記電源または前記整流器は、入力された制限指令に従って出力容量または出力電流を制限する機能を備えたものであり、
前記出力制限手段は、各電源の出力容量または各整流器の出力電流を制限するとき、その旨の制限指令を前記各電源または前記各整流器に出力する
ことを特徴とする請求項１、２または３に記載の冗長方式電源装置。
【請求項５】
（Ｎ＋Ｍ）台の電源（Ｎ、Ｍは１以上の整数）を並列接続した電源部への交流入力容量を制限する電源用入力制限回路であって、
前記電源部への交流入力容量を検出する検出手段と、
前記検出手段の検出する交流入力容量がＮ台の電源が定格出力した場合に必要な前記電源部への交流入力容量になるように前記各電源の出力容量を制限する出力制限手段と
を有する
ことを特徴とする電源用入力制限回路。
【請求項６】
（Ｎ＋１）台の電源（Ｎは１以上の整数）を並列接続した電源部への交流入力容量を制限する電源用入力制限回路であって、
前記電源部への交流入力容量を検出する検出手段と、
前記検出手段の検出した交流入力容量が所定の上限値を超えたとき、前記各電源の出力容量を定格出力のＮ／（Ｎ＋１）に制限し、前記検出手段の検出した交流入力容量が所定の下限値を下回ったとき、前記制限を解除する出力制限手段と
を有する
ことを特徴とする電源用入力制限回路。
【請求項７】
入力された制限指令に従って出力電流を制限する機能を備えた（Ｎ＋１）台の整流器（Ｎは１以上の整数）を並列接続した整流部とこの整流部の直流出力に接続された蓄電池とを有しかつこの蓄電池の後段に負荷が接続される直流無停電電源部への交流入力電流を制限する電源用入力制限回路であって、
前記整流部への交流入力電流値を検出する交流入力制限電流検出手段と、
前記交流入力制限電流検出手段の検出した交流入力電流値が所定の上限値を超えたとき、各整流器の出力電流を定格出力のＮ／（Ｎ＋１）に前記制限し、前記交流入力制限電流検出手段の検出した交流入力電流値が所定の下限値を下回ったとき、前記制限を解除する出力制限手段と
を有する
ことを特徴とする電源用入力制限回路。
【請求項８】
前記電源または前記整流器は、入力された制限指令に従って出力容量または出力電流を制限する機能を備えたものであり、
前記出力制限手段は、各電源の出力容量または各整流器の出力電流を制限するとき、その旨の制限指令を前記各電源または前記各整流器に出力する
ことを特徴とする請求項５、６または７に記載の電源用入力制限回路。
【発明の詳細な説明】
【技術分野】
【０００１】
本発明は、負荷容量に対して必要な台数を超える電源を並列に接続した冗長方式電源装置に関する。
【背景技術】
【０００２】
信頼度の高い電力供給を行なうために、各種の無停電電源装置が提案されている。その中でも、接続され得る最大の負荷容量に対する必要数を超える電源を使用する冗長方式の無停電電源装置は、特に高い信頼性を確保することができるので、銀行のオンラインシステムや通信網などへの給電設備に適している。
【０００３】
たとえば、Ｎ＋１冗長方式直流無停電電源装置では、Ｎ台の必要数に対して１台の余裕を持たせたＮ＋１台の整流器を使用している。
【０００４】
【特許文献１】特開平１１−１４６５７５号公報
【発明の開示】
【発明が解決しようとする課題】
【０００５】
定格出力時に１台の整流器が必要な交流入力容量をＡとすると、Ｎ＋１冗長方式直流無停電電源装置ではＡ×（Ｎ＋１）の交流入力容量が発生し得る。たとえば、停電後に復旧したときは、負荷に対する給電と停電中に使用した蓄電池への充電とが同時に行なわれるので、Ｎ＋１冗長方式直流無停電電源装置の交流入力容量がＡ×（Ｎ＋１）の最大値まで増加してしまう。
【０００６】
このため、Ｎ＋１冗長方式直流無停電電源装置を導入する場合には、実際の負荷に必要な交流入力容量が整流器Ｎ台分であるにも係らず、（Ｎ＋１）台の整流器が定格動作した場合に対応可能な交流入力容量の受電設備を用意したり受電電力の契約容量を定めたりしなければならず、設備投資や電力会社との契約料金が高くつくという問題があった。
【０００７】
たとえば、Ｎ＝２の時は３台の整流器を有するので、これらが定格出力で動作した場合を考慮すると整流器３台分の交流入力容量が必要になる。しかしながら、実使用状態では整流器２台分の交流入力容量で足りるので、実使用状態での必要量に対して１．５倍の交流入力容量を準備しなければならなかった。
【０００８】
一方、常時運転するＮ台の整流器に対して１台の整流器を予備として用意しておき、運転中のＮ台の中の１台が故障したときこれを予備の１台と切り替える方式を採用すれば、交流入力容量は整流器Ｎ台分で済む。しかしながら、この方式では予備機の運転・停止に関する動作の組み込みが必要になる。また、予備機は常時停止しているので、予備機を運転状態に切り替える際に遷移故障の生じる場合があり、充分な信頼性を確保することが難しいという問題がある。
【０００９】
本発明は、上記の問題を解決しようとするものであり、冗長分の電源の交流入力容量を必要とすることなく冗長分を含むすべての電源を常時動作させることのできる冗長方式電源装置および電源用入力制限回路を提供することを目的としている。
【課題を解決するための手段】
【００１０】
請求項１に係わる発明は、（Ｎ＋Ｍ）台の電源（Ｎ、Ｍは１以上の整数）を並列接続した電源部（１１〜１３）と、
前記電源部（１１〜１３）への交流入力容量を検出する検出手段（１５）と、
前記検出手段（１５）の検出する交流入力容量がＮ台の電源が定格出力した場合に必要な前記電源部（１１〜１３）への交流入力容量になるように前記各電源の出力容量を制限する出力制限手段（１６）と
を有する
ことを特徴とする冗長方式電源装置である。
【００１１】
上記発明によれば、検出手段（１５）は（Ｎ＋Ｍ）台の電源が並列接続された電源部（１１〜１３）への交流入力容量を検出し、出力制限手段（１６）は検出された交流入力容量が、Ｎ台の電源が定格出力した場合に必要な電源部（１１〜１３）への交流入力容量になるように各電源の出力容量を制限する。すなわち、定格出力時に１台の電源が必要な交流入力容量をＡとすると、電源部（１１〜１３）への交流入力容量がＡ×Ｎをある程度超える場合には各電源の出力容量を制限し、電源部（１１〜１３）への交流入力容量がＡ×Ｎをある程度下回る場合にはこの制限を解除する。
【００１２】
制限量を複数段階に分けて設定しておき、電源部（１１〜１３）への交流入力容量がＡ×Ｎに近づくように制限量を１段ずつ増加または減少させるとよい。（Ｎ＋Ｍ）冗長構成の場合には少なくとも制限量をＭ段設けるとよく、さらに細かく段数を設定してもよい。また段数を無限大にして連続的に制限量を増減させるように構成してもよい。
【００１３】
なお、交流入力容量および出力容量は、電圧が一定の場合にはそれぞれ交流入力電流、出力電流で代用することができる。
【００１４】
並列接続する電源はすべて同一のものが好ましいが、異なるものであってもかまわない。また、直流電源と交流電源のいずれであってもよい。
【００１５】
出力容量の制限方法は問わないが、たとえば、入力される制限指令に基づいて最大出力容量を制限する機能を備えた電源を電源部（１１〜１３）に使用し、出力制限手段（１６）が各電源に対して出力容量や出力電流の制限指令を出力するように構成するとよい。
【００１６】
ところで、必要な交流入力容量は電源部（１１〜１３）の力率や入力効率に依存する。またサイリスタ等を用いる場合には電源部（１１〜１３）の力率自体も変動する。このため、電源部（１１〜１３）の出力容量から電源部（１１〜１３）の交流入力容量を正確に換算することはできず、誤差が生じてしまう。本発明では、電源部（１１〜１３）の交流入力容量を基準に各電源の出力容量を制限するので、交流入力容量が所定値を超えないように正確に制御することができる。
【００１７】
請求項２に係わる発明は、（Ｎ＋１）台の電源（Ｎは１以上の整数）を並列接続した電源部（１１〜１３）と、
前記電源部（１１〜１３）への交流入力容量を検出する検出手段（１５）と、
前記検出手段（１５）の検出した交流入力容量が所定の上限値を超えたとき、前記各電源の出力容量を定格出力のＮ／（Ｎ＋１）に制限し、前記検出手段（１５）の検出した交流入力容量が所定の下限値を下回ったとき、前記制限を解除する出力制限手段（１６）と
を有する
ことを特徴とする冗長方式電源装置である。
【００１８】
上記発明によれば、電源部（１１〜１３）への交流入力容量が所定の上限値を超えると各電源の出力容量をＮ／（Ｎ＋１）に制限し、電源部（１１〜１３）への交流入力容量が所定の下限値を下回るとこの制限を解除するようになっている。冗長な電源が１台だけなので、制限するか否かに制御が単純化される。
【００１９】
定格出力時に１台の電源に必要な交流入力容量をＡとしたとき、上記の上限値を（Ａ×Ｎ＋α）にするとよい。ここで、αは余裕量であり、０＜α＜Ａで、かつ、（Ａ×Ｎ＋α）が受電設備や受電契約の許す容量以下になるようにαを定めるとよい。下限値は、（Ａ×Ｎ×Ｎ／（Ｎ＋１）＋β）にするとよい。βは、（Ａ×Ｎ／（Ｎ＋１））＞β＞０の範囲が好ましい。
【００２０】
このように上限値および下限値を設定すると、電源部（１１〜１３）への交流入力容量がＡ×Ｎ＋αを超えたとき各電源の出力容量が定格出力のＮ／（Ｎ＋１）に制限される。これにより、交流入力容量はＮ台の電源が定格出力したときに必要とされる値Ａ×Ｎ×（Ｎ＋１）／（Ｎ＋１）＝Ａ×Ｎに制限される。
【００２１】
上記のように制限した状態で（Ｎ＋１）台のうちのいずれか１台が故障などによって停止すると、交流入力容量は（Ａ×Ｎ×Ｎ／（Ｎ＋１））になる。これは、Ｎ台の電源が定格出力で動作した場合の交流入力容量である（Ａ×Ｎ）より小さい。そこで、下限値である（Ａ×Ｎ×Ｎ／（Ｎ＋１）＋β）以下に交流入力容量が低下したとき、すべての電源に対する制限を解除する。これにより、各電源が定格出力となり、停止している１台を除くＮ台の稼動により、必要な出力を得ることができる。また、交流入力容量は（Ａ×Ｎ）を超えない。
【００２２】
請求項３に係わる発明は、（Ｎ＋１）台の整流器（Ｎは１以上の整数）を並列接続した整流部（１１〜１３）と、
この整流部（１１〜１３）の直流出力に接続されかつ後段に負荷が接続される蓄電池（１４）と、
前記整流部（１１〜１３）への交流入力電流を検出する交流入力制限電流検出手段（１５）と、
前記交流入力制限電流検出手段（１５）の検出した交流入力電流が所定の上限値を超えたとき、定格出力のＮ／（Ｎ＋１）に前記各整流器の出力電流を制限し、前記交流入力制限電流検出手段（１５）の検出した交流入力電流が所定の下限値を下回ったとき、前記制限を解除する出力制限手段（１６）と
を有する
ことを特徴とする冗長方式電源装置である。
【００２３】
上記発明によれば、交流入力容量が整流器Ｎ台分で済むＮ＋１冗長方式直流無停電電源が提供される。
【００２４】
請求項４に係わる発明は、前記電源または前記整流器は、入力された制限指令に従って出力容量または出力電流を制限する機能を備えたものであり、
前記出力制限手段（１６）は、各電源の出力容量または各整流器の出力電流を制限するとき、その旨の制限指令を前記各電源または前記各整流器に出力する
ことを特徴とする請求項１、２または３に記載の冗長方式電源装置である。
【００２５】
上記発明によれば、各電源の出力容量や各整流器の出力電流が出力制限手段（１６）の出力する制限指令に基づいて制御される。
【００２６】
請求項５に係わる発明は、（Ｎ＋Ｍ）台の電源（Ｎ、Ｍは１以上の整数）を並列接続した電源部（１１〜１３）への交流入力容量を制限する電源用入力制限回路であって、
前記電源部（１１〜１３）への交流入力容量を検出する検出手段（１５）と、
前記検出手段（１５）の検出する交流入力容量がＮ台の電源が定格出力した場合に必要な前記電源部（１１〜１３）への交流入力容量になるように前記各電源の出力容量を制限する出力制限手段（１６）と
を有する
ことを特徴とする電源用入力制限回路である。
【００２７】
上記発明によれば、検出手段（１５）は（Ｎ＋Ｍ）台の電源が並列接続された電源部（１１〜１３）への交流入力容量を検出し、出力制限手段（１６）は検出された交流入力容量が、Ｎ台の電源が定格出力した場合に必要な電源部（１１〜１３）への交流入力容量になるように各電源の出力容量を制限する。これにより、（Ｎ＋Ｍ）台の電源を並列接続した電源部（１１〜１３）に電源用入力制限回路を追加することで、受電設備が電源Ｎ台分の容量で済むＮ＋Ｍ冗長方式の電源装置が得られる。
【００２８】
請求項６に係わる発明は、（Ｎ＋１）台の電源（Ｎは１以上の整数）を並列接続した電源部（１１〜１３）への交流入力容量を制限する電源用入力制限回路であって、
前記電源部（１１〜１３）への交流入力容量を検出する検出手段（１５）と、
前記検出手段（１５）の検出した交流入力容量が所定の上限値を超えたとき、定格出力のＮ／（Ｎ＋１）に前記各電源の出力容量を制限し、前記検出手段（１５）の検出した交流入力容量が所定の下限値を下回ったとき、前記制限を解除する出力制限手段（１６）と
を有する
ことを特徴とする電源用入力制限回路である。
【００２９】
上記発明によれば、（Ｎ＋１）台の電源を並列接続した電源部（１１〜１３）に電源用入力制限回路を追加することで、受電設備が電源Ｎ台分の容量で済むＮ＋１冗長方式の電源装置が得られる。
【００３０】
請求項７に係わる発明は、入力された制限指令に従って出力電流を制限する機能を備えた（Ｎ＋１）台の整流器（Ｎは１以上の整数）を並列接続した整流部（１１〜１３）とこの整流部（１１〜１３）の直流出力に接続された蓄電池（１４）とを有しかつこの蓄電池（１４）の後段に負荷が接続される直流無停電電源部（１１〜１３）への交流入力電流を制限する電源用入力制限回路であって、
前記整流部（１１〜１３）への交流入力電流値を検出する交流入力制限電流検出手段（１５）と、
前記交流入力制限電流検出手段（１５）の検出した交流入力電流値が所定の上限値を超えたとき、定格出力のＮ／（Ｎ＋１）に前記各整流器の出力電流を制限し、前記交流入力制限電流検出手段（１５）の検出した交流入力電流値が所定の下限値を下回ったとき、前記制限を解除する出力制限手段（１６）と
を有する
ことを特徴とする電源用入力制限回路である。
【００３１】
上記発明によれば、（Ｎ＋１）台の整流器を並列接続した整流部（１１〜１３）に電源用入力制限回路を追加することで、受電設備が整流器Ｎ台分の容量で済むＮ＋１冗長方式直流無停電電源装置が得られる。
【００３２】
請求項８に係わる発明は、前記電源または前記整流器は、入力された制限指令に従って出力容量または出力電流を制限する機能を備えたものであり、
前記出力制限手段（１６）は、各電源の出力容量または各整流器の出力電流を制限するとき、その旨の制限指令を前記各電源または前記各整流器に出力する
ことを特徴とする電源用入力制限回路である。
【００３３】
上記発明によれば、各電源の出力容量や各整流器の出力電流が出力制限手段（１６）の出力する制限指令に基づいて制御される。
【発明の効果】
【００３４】
本発明に係わる冗長方式電源装置および電源用入力制限回路によれば、冗長分を含むすべての整流器や電源を常時稼動させつつ冗長分の交流入力容量を必要としない冗長方式電源装置を得ることができる。これにより、冗長分を含まない台数の整流器や電源に対応可能なだけの容量に前段の受電設備を軽減したり、受電契約の容量を下げたりでき、高い信頼性を確保しつつ設備投資や運用費を低減できる利点がある。
【発明を実施するための最良の形態】
【００３５】
以下、図面に基づき本発明の実施の形態を説明する。
【００３６】
図１は、本発明の実施の形態に係わるＮ＋１冗長方式直流無停電電源装置１０の構成を示している。ここでは、Ｎ＝２の場合の回路構成を示している。Ｎ＋１冗長方式直流無停電電源装置１０は、受電設備である交流入力５に並列接続された１号整流器１１と２号整流器１２と３号整流器１３とで構成された整流部を有している。各整流器１１〜１３の直流出力は図示省略のブロックダイオードを介して結合され、蓄電池１４に接続されている。蓄電池１４の後段には直流負荷６が接続される。
【００３７】
検出手段としての交流入力制限電流検出器１５は、整流器１１〜１３に入力される交流入力電流の値を検出する。出力制限手段としての整流器出力電流制限指令器１６は、交流入力制限電流検出器１５が検出した交流入力電流の値を入力し、その値を所定の上限値および下限値と比較し、この比較結果に基づいて交流入力制限指令１７の出力を制御する機能を果たす。
【００３８】
整流器１１〜１３は、整流器出力電流制限指令器１６から入力される交流入力制限指令１７に基づいて出力電流を制限する機能をそれぞれ備えている。整流器１１〜１３はいずれも定格出力電流がＩｏで定格出力時の交流入力電流がＪｉの整流器である。
【００３９】
整流器出力電流制限指令器１６が比較基準とする上限値は（２Ｊｉ＋α）で、下限値は（（４／３）Ｊｉ＋β）に設定されている。すなわち、上限値はＮ＋１冗長構成の場合（ＮＪｉ＋α）であり、下限値は（（Ｎ×Ｎ／（Ｎ＋１））Ｊｉ＋β）である。α、βは余裕値として予め定めた値である。αは、０＜α＜Ｊｉの範囲において受電設備や受電契約に応じて適宜設定すればよい。βは、（Ｊｉ×Ｎ／（Ｎ＋１））＞β＞０の範囲が好ましい。
【００４０】
上記のＮ＋１冗長方式直流無停電電源装置１０が定格負荷状態でかつ３台の整流器１１〜１３から直流負荷６に電流を供給するときは、各整流器１１〜１３の出力電流は（２／３）・Ｉｏになり、３台の出力電流の合計値は２Ｉｏになる。このとき、各整流器１１〜１３の交流入力電流は（２／３）・Ｊｉであり、３台の交流入力電流の合計値は２Ｊｉになる。
【００４１】
交流入力制限指令１７で整流器１１〜１３の出力電流を制限していない状態では負荷が増えると交流入力電流が３Ｊｉまで増加する可能性がある。
【００４２】
交流入力制限電流検出器１５で検出している交流入力電流の値が上限値（２Ｊｉ＋α）を超えると、整流器出力電流制限指令器１６は各整流器１１〜１３に交流入力制限指令１７を出力する。これにより各整流器１１〜１３の出力電流は（２／３）・Ｉｏに制限される。その結果、整流器１１〜１３の交流入力電流はそれぞれ（２／３）・Ｊｉになり、３台の交流入力電流の合計値は２Ｊｉに制限される。なお、交流入力制限指令１７が入力されたとき出力電流をいくらに制限するかを予め定めておくように構成してもよいし、交流入力制限指令１７自体が制限量を表わす情報を含むように構成してもよい。
【００４３】
出力電流が（２／３）・Ｉｏに制限された状態で３台の整流器１１〜１３のうちのいずれか１台が故障等によって停止して稼動台数が２台に減ると、合計の出力電流は２×（２／３）・Ｉｏ＝（４／３）・Ｉｏになり、必要な２Ｉｏを得られなくなる。
【００４４】
交流入力制限電流検出器１５で検出している交流入力電流の値が下限値（（４／３）Ｊｉ＋β）を下回ると、整流器出力電流制限指令器１６は交流入力制限指令１７の出力を停止する。これにより各整流器１１〜１３に対する出力電流の制限が解除される。その結果、停止している１台を除く２台の整流器から合計で２Ｉｏまでの出力電流が供給可能になり、Ｎ＋１冗長方式直流無停電電源装置１０の機能が維持される。
【００４５】
なお、１台が停止してから出力電流の制限が解除されるまでの間において定格負荷電流２Ｉｏに対して不足する分の電流は蓄電池１４から供給される。
【００４６】
上記の動作において交流入力電流の検出値は以下の関係にある。  
（４／３）Ｊｉ＜（（４／３）Ｊｉ＋β）＜２Ｊｉ＜（２Ｊｉ＋α）  
次に（Ｎ＋Ｍ）冗長構成（Ｍは２以上）の場合について説明する。冗長な整流器の台数がＭ台の場合、交流入力制限指令１７による制限量をＭ段階にする。たとえば（３＋２）冗長構成としたときは、Ｎ＝３、Ｍ＝２なので、出力電流を定格の３／４に制限する第１段階と、３／５に制限する第２段階とを設ける。なお、（３＋２）冗長方式電源装置の定格出力電流を３Ｉｏ、定格出力時における交流入力電流を３Ｊｉとする。各段階の制限量をＮとＭを用いて表わすと第１段階は（Ｎ／（Ｎ＋Ｍ−１））に、第２段階は（Ｎ／（Ｎ＋Ｍ））になる。
【００４７】
制限を解除した状態で交流入力電流の検出値が（３Ｊｉ＋α）を超えると、第１段階の制限（３／４に制限）を実行する。この制限を施した後もまだ交流入力電流の検出値が（３Ｊｉ＋α）を超えるときは第２段階の制限（３／５に制限）を実行する。Ｎを用いて表わすと上限値は（Ｎ×Ｊｉ＋α）である。
【００４８】
たとえば、５台のすべてが正常な場合には、第１段階に制限しただけでは、（３／４）×５＝（１５／４）ｊｉ＞３Ｊｉになるので、まだ交流入力電流の検出値が（３Ｊｉ＋α）を超えることがある。このようなときは、第２段階に制限を強化することで（３／５）×５＝３Ｊｉとなり、定格出力時の交流入力電流３Ｊｉを超えなくなる。
【００４９】
５台のうちのいずれか１台が停止しているときは第１段階に制限することで（３／４）×４＝３Ｊｉとなり、定格出力時の交流入力電流を超えなくなる。
【００５０】
制限を解除するときは、交流入力電流の検出値が、たとえば、（４×（３／５）Ｊｉ＋α）を下回ると、現在の制限を１段階緩める。制限を緩和した後にもまだ交流入力電流の検出値が（４×（３／５）Ｊｉ＋β）を下回るときは、さらに制限を１段階緩める（制限を解除する）。上記の下限値はＮとＭを用いて表わすと（（Ｎ＋Ｍ−１）×Ｎ／（Ｎ＋Ｍ））ｊｉ＋β）である。
【００５１】
たとえば、第２段階まで制限している状態で５台のうちのいずれか１台が停止すると（３／５）Ｊｉ×４＝（１２／５）Ｊｉ＜（４×（３／５）Ｊｉ＋β）になるので、制限が第１段階に緩和される。その結果（３／４）Ｊｉ×４＝３Ｊｉとなり、３台分の定格出力を得ることができる。
【００５２】
また、第１段階に制限している状態で５台のうちのいずれか２台が停止すると（３／４）Ｊｉ×３＝（９／４）Ｊｉ＜（４×（３／５）Ｊｉ＋β）になるので、制限が解除される。その結果、３台分の定格出力を得ることができる。
【００５３】
以上、本発明の実施の形態を図面によって説明してきたが、具体的な構成は実施の形態に示したものに限られるものではなく、本発明の要旨を逸脱しない範囲における変更や追加があっても本発明に含まれる。たとえば、実施の形態では交流入力電流で交流入力容量を代用したが、これは交流入力電圧が一定の場合に可能なものであり、交流入力電圧が変化する場合は、交流入力容量や皮相電力の値に基づいて出力容量や出力電流を制限するとよい。
【００５４】
また、直流の電源装置を例に説明したが、交流電源装置であっても本発明を適用することができる。さらに上限値や下限値は例示であり、適宜の値に変更してもかまわない。
【図面の簡単な説明】
【００５５】
【図１】本発明の実施の形態に係わるＮ＋１冗長方式直流無停電電源装置の構成を示すブロック図である。
【符号の説明】
【００５６】
５…交流入力
６…直流負荷
１０…Ｎ＋１冗長方式直流無停電電源装置
１１…１号整流器
１２…２号整流器
１３…３号整流器
１４…蓄電池
１５…交流入力制限電流検出器
１６…整流器出力電流制限指令器
１７…交流入力制限指令
【図１】
2005287177.tif 000003